(57)【要約】【課題】  外部入力デバイスを利用するシーン毎に設定条件を保管し、外部入力デバイスを簡便に動作させることが可能な携帯端末を提供する。【解決手段】  携帯端末（１）は外部入力デバイス（１１）を含み、外部入力デバイスを利用する際の設定条件（入力デバイス設定値情報１２２−１〜１２２−ｎ）と当該外部入力デバイスによる入力データの保管条件（入力データ保管情報１２３−１〜１２３−ｎ）とを対応付けて保持する複数のフォルダ（１２１−１〜１２１−ｎ）を記憶する記憶手段（記憶装置１２）を有している。携帯端末は、複数のフォルダのいずれかが指定された時に当該フォルダに保持する設定条件及び保管条件に基づいて外部入力デバイスを起動する。【選択図】      図１
2010028252.tif 000002
【特許請求の範囲】
【請求項１】
外部入力デバイスを含む携帯端末であって、
前記外部入力デバイスを利用する際の設定条件と当該外部入力デバイスによる入力データの保管条件とを対応付けて保持する複数のフォルダを記憶する記憶手段と、
前記複数のフォルダのいずれかが指定された時に当該フォルダに保持する前記設定条件及び前記保管条件に基づいて前記外部入力デバイスを起動する制御手段とを有することを特徴とする携帯端末。
【請求項２】
外部からの入力データを保管する場所の情報を利用して前記設定条件及び前記保管条件を前記フォルダ内に設定することを特徴とする請求項１記載の携帯端末。
【請求項３】
前記場所の情報を利用して、データ入力時の前記外部入力デバイスの動作に必要な設定情報と、前記入力データを自端末に保管するためのデータ変換に必要な設定情報とを、必要となる一部ないしは全てを前記フォルダ内に設定することを特徴とする請求項２記載の携帯端末。
【請求項４】
前記入力データを、自端末に挿抜自在な外部記憶媒体に保管することを特徴とする請求項１から請求項３のいずれか記載の携帯端末。
【請求項５】
外部入力デバイスを含む携帯端末に用いる設定情報保管方法であって、
前記外部入力デバイスを利用する際の設定条件と当該外部入力デバイスによる入力データの保管条件とを対応付けて保持する複数のフォルダを記憶手段に記憶する記憶処理と、
前記複数のフォルダのいずれかが指定された時に当該フォルダに保持する前記設定条件及び前記保管条件に基づいて前記外部入力デバイスを起動する制御処理とを有することを特徴とする設定情報保管方法。
【請求項６】
外部からの入力データを保管する場所の情報を利用して前記設定条件及び前記保管条件を前記フォルダ内に設定することを特徴とする請求項５記載の設定情報保管方法。
【請求項７】
前記場所の情報を利用して、データ入力時の前記外部入力デバイスの動作に必要な設定情報と、前記入力データを自端末に保管するためのデータ変換に必要な設定情報とを、必要となる一部ないしは全てを前記フォルダ内に設定することを特徴とする請求項６記載の設定情報保管方法。
【請求項８】
前記入力データを、自端末に挿抜自在な外部記憶媒体に保管することを特徴とする請求項５から請求項７のいずれか記載の設定情報保管方法。
【請求項９】
外部入力デバイスを含む携帯端末内の中央処理装置に実行させるプログラムであって、
前記外部入力デバイスを利用する際の設定条件と当該外部入力デバイスによる入力データの保管条件とを対応付けて保持する複数のフォルダを記憶手段に記憶する記憶処理と、
前記複数のフォルダのいずれかが指定された時に当該フォルダに保持する前記設定条件及び前記保管条件に基づいて前記外部入力デバイスを起動する制御処理とを含むことを特徴とするプログラム。
【発明の詳細な説明】
【技術分野】
【０００１】
本発明は携帯端末及びそれに用いる設定情報保管方法並びにそのプログラムに関し、特にディジタルカメラやＩＣ（集積回路）レコーダ、及び携帯電話機等の携帯端末における外部入力デバイスの動作条件や入力データの保管条件等の設定情報の保管方法に関する。
【背景技術】
【０００２】
携帯端末のコンパクト化に伴って、持ち歩き先で利用される様々な機能が、その機能を実現するために必要な外部入力デバイスの内蔵化を可能とし、カメラ付き携帯電話機やＩＣレコーダと呼ばれる商品として普及が進んでいる。
【０００３】
通常、これら携帯端末における外部からの入力データは、入力時に外部入力デバイスの動作設定（モード）の設定を要したり、データ保管時にディジタル処理を伴い、その携帯端末用のデータに変換するための保管設定（モード）の設定を要することも多い。
【０００４】
これら動作設定（モード）の設定や保管設定（モード）の設定は、利用者自身が外部入力デバイスの設定方法に慣れないことによりミスが生じたり、利用者自身が外部入力デバイスの設定を面倒であると考えてデフォルト設定（初期設定または前回利用時の設定）のままであったりして、外部入力デバイスがあまり有効に活用されないことがある。
【０００５】
上記のような携帯端末では、例えば外部入力デバイス、カメラ（映像素子）やマイク等が配設されており、それら外部入力デバイスを選択し、必要に応じて入力機能を動作させた上で、動作条件や入力データの保管条件等の設定情報を設定している。
【０００６】
この携帯端末での外部入力デバイスの動作条件や入力データの保管条件等の設定方法を図８を参照して説明する。本発明に関連する携帯端末は、図８において、外部入力デバイスの選択を、「ツール」の中にある「カメラ」、「ＩＣレコーダ」、「ディジタルＴＶ（テレビ）」、「アナログＴＶ」、「赤外線受信」等の入力機能単位から行っている。
【０００７】
例えば、図８に示すように、「カメラ」が選択された場合は、入力機能の表示動作に必要となる最低限の分類として「フォトモード」及び「ムービーモード」の動作モードのいずれかを選択する。ここで、「ムービー」が選択された場合は、デフォルトで設定されているカメラ動作設定で、カメラ入力画像が表示される。
【０００８】
その後、カメラ動作設定の変更が必要となる場合は、その変更条件に対して機能メニューを開くことで、条件項目毎に設定変更を繰り返すことになる。しかしながら、図６に示すように、カメラ動作設定は、設定項目が１２もあり、かつ各項目として数値を入れるもの、７つの条件の中から選択しなければならないもの等があり、カメラで撮影を行うたびに大変な手続きが必要となる。
【０００９】
上記のような設定条件の変更を自動化する方法としては、下記の特許文献１〜３に記載の方法がある。
【００１０】
特許文献１に記載の方法は、人間が直接データ入力するキーデバイス等が想定されており、元々人間が直接データをキーによって入力する際に、不要な画面表示部位をスキップさせたり、デフォルト（予め利用者が利用する入出力制御のデータ項目）で入力させたり、入力部位をキー操作によらずに自動入力させている。
【００１１】
特許文献２に記載の方法は、携帯電話端末のカメラ機能のみを想定しており、カメラ機能の設定状態を、シャッターキーとしてキーのいずれかが選択されたかに応じて指定して割り付けを行っている。
【００１２】
特許文献３に記載の方法は、電子カメラの仕様設定を想定しており、ユーザの好みを察知することで推察するアルゴリズムを搭載し、そのアルゴリズムに基づいて仕様設定を直接入力しないで済むようにしている。
【００１３】
【特許文献１】特開２００６−２８７６１７号公報
【特許文献２】特開２００４−２９７５５３号公報
【特許文献３】特開２００５−１１７４７８号公報
【発明の開示】
【発明が解決しようとする課題】
【００１４】
しかしながら、本発明に関連する携帯端末は、外部入力デバイスの条件設定において、条件設定の組合せを利用者が自由に保管することができないため、少なくとも最近利用した条件またはデフォルトの条件を除き、よく使用する条件設定を繰り返し利用することができないという問題がある。
【００１５】
上述した特許文献１〜３に記載の方法は、多数の設定項目がある外部入力デバイスの動作条件や入力データの保管条件等の設定情報の設定を対象としていないため、上記の問題を解決することができない。
【００１６】
そこで、本発明の目的は上記の問題点を解消し、外部入力デバイスを利用するシーン毎に設定条件を保管することができ、外部入力デバイスを簡便に動作させることができる携帯端末及びそれに用いる設定情報保管方法並びにそのプログラムを提供することにある。
【課題を解決するための手段】
【００１７】
本発明による携帯端末は、外部入力デバイスを含む携帯端末であって、
前記外部入力デバイスを利用する際の設定条件と当該外部入力デバイスによる入力データの保管条件とを対応付けて保持する複数のフォルダを記憶する記憶手段と、
前記複数のフォルダのいずれかが指定された時に当該フォルダに保持する前記設定条件及び前記保管条件に基づいて前記外部入力デバイスを起動する制御手段とを備えている。
【００１８】
本発明による設定情報保管方法は、外部入力デバイスを含む携帯端末に用いる設定情報保管方法であって、
前記外部入力デバイスを利用する際の設定条件と当該外部入力デバイスによる入力データの保管条件とを対応付けて保持する複数のフォルダを記憶手段に記憶する記憶処理と、
前記複数のフォルダのいずれかが指定された時に当該フォルダに保持する前記設定条件及び前記保管条件に基づいて前記外部入力デバイスを起動する制御処理とを備えている。
【００１９】
本発明によるプログラムは、外部入力デバイスを含む携帯端末内の中央処理装置に実行させるプログラムであって、
前記外部入力デバイスを利用する際の設定条件と当該外部入力デバイスによる入力データの保管条件とを対応付けて保持する複数のフォルダを記憶手段に記憶する記憶処理と、
前記複数のフォルダのいずれかが指定された時に当該フォルダに保持する前記設定条件及び前記保管条件に基づいて前記外部入力デバイスを起動する制御処理とを含むことを特徴とする。
【発明の効果】
【００２０】
本発明は、上記のような構成及び動作とすることで、外部入力デバイスを利用するシーン毎に設定条件を保管することができ、外部入力デバイスを簡便に動作させることができるという効果が得られる。
【発明を実施するための最良の形態】
【００２１】
次に、本発明の実施の形態について図面を参照して説明する。まず、本発明による携帯端末の概要について説明する。図１は本発明による携帯端末の内部構成の概要を示すブロック図である。図１において、携帯端末１では、カメラやマイク等の外部入力デバイス１１と、記憶装置１２とを備えている。
【００２２】
記憶装置１２は、フォルダ１２１−１〜１２１−ｎ（ｎは２以上の整数）と、それらフォルダ１２１−１〜１２１−ｎの保持位置等を示すフォルダ情報１２０とが保持されている。フォルダ１２１−１〜１２１−ｎ各々は、入力デバイス設定値情報１２２−１〜１２２−ｎ及び入力データ保管情報１２３−１〜１２３−ｎを対応付けて保持している。
【００２３】
本発明による携帯端末１では、外部からの入力データを保管する場所の情報（フォルダ情報１２０）を利用して、自動的に外部入力デバイス１１によるデータ入力に必要な設定情報（入力デバイス設定値情報１２２−１〜１２２−ｎ）やデータ保管に必要な変換情報（入力データ保管情報１２３−１〜１２３−ｎ）等を設定することを可能としている。
【００２４】
つまり、本発明では、携帯端末１の外部からの入力データを保管する場所の情報（フォルダ情報１２０）を利用して、データ入力時の外部入力デバイス１１の動作に必要な設定情報と、入力データを携帯端末１上の記憶装置１２に保管するためのデータ変換に必要な設定情報とを、必要となる一部ないしは全てを自動的に設定することによって、簡便で誤動作のない外部入力デバイス１１のデータ入力に必要な動作（動作条件の設定）を可能としている。
【００２５】
図２は本発明の第１の実施の形態による携帯端末の構成例を示すブロック図である。図２において、携帯端末１は、外部入力デバイス１１と、記憶装置１２と、制御部［ＣＰＵ（中央処理装置）］１３と、メモリ１４と、外部記憶デバイス１５と、表示デバイス１６とを含んで構成されている。
【００２６】
外部入力デバイス１１は、カメラやマイク等の入力デバイスである。記憶装置１２は、フォルダ情報１２０とフォルダ１２１−１〜１２１−ｎとを保持している。フォルダ１２１−１〜１２１−ｎ各々は、入力デバイス設定値情報１２２−１〜１２２−ｎ及び入力データ保管情報１２３−１〜１２３−ｎを対応付けて保持している。
【００２７】
メモリ１４は、制御部１３が装置内の各部を制御するために実行する制御プログラム１４ａを保持している。外部記憶デバイス１５は、ｍｉｎｉＳＤ（Ｓｅｃｕｒｅ  Ｄｉｇｉｔａｌ）カード等の挿抜自在な記憶デバイスである。表示デバイス１６は、ＬＣＤ（Ｌｉｑｕｉｄ  Ｃｒｙｓｔａｌ  Ｄｉｓｐｌａｙ）等の表示装置である。
【００２８】
図３及び図４は本発明の第１の実施の形態による携帯端末１の動作を示すフローチャートである。これら図２〜図４を参照して本発明の第１の実施の形態による携帯端末１の設定情報の管理動作について説明する。尚、図３及び図４に示す設定情報の管理動作は、携帯端末１において制御部１３が制御プログラム１４ａを実行することで実現される。
【００２９】
携帯端末１の制御部１３は、図示せぬキー操作部によりデータ保管領域の表示が指示されると（図３ステップＳ１）、データ保管領域への設定か否かを判定する（図３ステップＳ２）。制御部１３は、データ保管領域への設定であれば、その設定が新規の設定かどうかを判定する（図３ステップＳ３）。
【００３０】
制御部１３は、その設定が変更であれば、指定されたデータ保管領域（フォルダ）がある場合（図３ステップＳ４）、指定されたデータ保管領域（フォルダ）に保持している外部入力デバイス設定値情報、入力データ保管情報を表示デバイス１６に表示する（図３ステップＳ５）。
【００３１】
制御部１３は、表示した外部入力デバイス設定値情報、入力データ保管情報の設定変更がある場合（図３ステップＳ６）、変更した設定に応じて外部入力デバイス設定値情報、入力データ保管情報を変更する（図３ステップＳ７）。制御部１３は、設定変更した外部入力デバイス設定値情報、入力データ保管情報をそれぞれ対応付けて記憶装置１２のフォルダ１２１−１〜１２１−ｎに保存する（図３ステップＳ８）。
【００３２】
一方、制御部１３は、その設定が新規の設定であれば、入力された外部入力デバイス設定値情報と入力データ保管情報とをそれぞれ対応付けて記憶装置１２のフォルダ１２１−１〜１２１−ｎに保存する（図３ステップＳ９）。その後、制御部１３は、新規設定の情報をデータ保管領域の管理情報（フォルダ情報１２０）に登録する（図３ステップＳ１０）。つまり、制御部１３は、新規設定の外部入力デバイス設定値情報、入力データ保管情報を対応付けて記憶装置１２のフォルダ１２１−１〜１２１−ｎに保存する。
【００３３】
次に、形態端末１の利用者が外部入力デバイス１１を使用する場合について説明する。
【００３４】
制御部１３は、データ保管領域の使用（外部入力デバイス１１の使用）の場合（図４ステップＳ１１）、フォルダ情報１２０に基づいてデータ保管領域（フォルダ１２１−１〜１２１−ｎ）の管理画面を表示デバイス１６に表示する（図４ステップＳ１２）。制御部１３は、表示デバイス１６に表示した管理画面で指定されたデータ保管領域（フォルダ）があれば（図４ステップＳ１３）、そのデータ保管領域（フォルダ）の詳細な管理情報を記憶装置１２から読出して表示デバイス１６に表示する（図４ステップＳ１４）。
【００３５】
制御部１３は、表示デバイス１６に表示した詳細な管理情報において指定された管理情報が記憶装置１２にあれば（図４ステップＳ１５）、指定された管理情報に対応するデータ保管領域（フォルダ１２１−１〜１２１−ｎ）に保持された外部入力デバイス設定値情報１２２−１〜１２２−ｎ、入力データ保管情報１２３−１〜１２３−ｎを表示し、それらの設定値を設定して外部入力デバイス１１を起動し（図４ステップＳ１６）、処理を終了する。
【００３６】
一方、制御部１３は、指定されたデータ保管領域（フォルダ）がない場合、あるいは指定された管理情報がない場合、指定を変更するかどうかを表示デバイスに表示して問い合わせる（図４ステップＳ１６）。制御部１３は、指定の変更があればステップＳ１１に戻って上記の処理を繰り返し、指定の変更がなければ処理を終了する。
【００３７】
図５は本発明の第１の実施の形態による携帯端末１の設定画面のイメージを示す図である。図５においては、携帯端末１上に用意されたカメラ機能（外部入力デバイス１１）で「ムービー」に適用した場合の設定画面のイメージを示している。
【００３８】
本実施の形態では、携帯端末１のデータ保管領域を管理する機能としては、「データＢＯＸ」があるが、配下には静止画やカメラで撮影した動画像を保管する「マイピクチャ」、アニメーションを保管する「ｉモーション（登録商標）」、音楽や音声を保管する「メロディ」、ＴＶ画像を保管する「ビデオ」等のフォルダが用意している。
【００３９】
本実施の形態では、カメラ機能を取り上げるので、必要となる「マイピクチャ」配下の構成のみについて詳細に記述する。保管されたデータが携帯端末１の他機能で利用される時に、「ｉモード（登録商標）」、「ｉアプリ（登録商標）」、「自作アニメ」、「フレーム」、「スタンプ」の各機能単位に利用されるフォルダと、携帯端末１の出荷時に端末内に予め保管されているデータの保管場所となる「プリインストール」とがある。
【００４０】
本実施の形態では、携帯端末１の外部入力デバイス１１を選択し、かつその動作設定情報を保管し、その設定条件で入力されたデータを保管する場所として携帯端末１の外部記憶デバイス１５を指定しているものとする。そこで、本実施の形態での外部記憶デバイス１５に相当する「ｍｉｎｉＳＤ」フォルダ配下のみについて詳細に説明する。
【００４１】
「ｍｉｎｉＳＤ」フォルダ内には、通常、携帯端末１の他機能で利用される時を想定して用意された「ピクチャ」、「イメージボックス」の他に、携帯端末１の利用者が作成した外部入力デバイス１１を利用したい具体的な場面毎に、家族での室内で行う記念イベントでムービー撮影をしたい時に利用する「家族・室内ムービー」、家族での天候の良い日に行うハイキングで記念撮影をしたい時に利用する「家族・ハイキング」が外部入力デバイスの設定情報と共に、構成可能となっている。本構成では、本発明の第２の実施の形態で使われる音声入力機能に関するフォルダが配下に、「仕事・会議」、「娯楽・音楽イベント」も並存している。
【００４２】
本実施の形態で利用する「家族・室内ムービー」フォルダ配下には、そのフォルダで利用する携帯端末１に用意された「入力機能」名（本実施の形態では、「カメラ」）の情報と、その外部入力デバイス１１の利用設定条件である「画質」〜「操作音」の情報の他、これらの条件下で入力されて保管されたデータが保管されている。
【００４３】
図５において、「データＢＯＸ」には、「マイピクチャ」、「ｉモーション（登録商標）」、「メロディ」、「キャラ電（登録商標）」、「ビデオ」等のフォルダがある。
【００４４】
「マイピクチャ」には、「ｉモード（登録商標）」、「ｉアプリ（登録商標）」、「自作アニメ」、「ｍｉｎｉＳＤ」、「フレーム」、「スタンプ」、「プリインストール」等のフォルダがある。
【００４５】
「ｍｉｎｉＳＤ」には、「家族・室内ムービー」、「家族・ハイキング」、「仕事・会議」、「趣味・音楽イベント」、「ピクチャ」、「イメージボックス」等のフォルダがある。
【００４６】
「石田・室内ムービー」には、「入力機能  カメラ」、「画質  ＶＧＡ（Ｖｉｄｅｏ  Ｇｒａｐｈｉｃｓ  Ａｒｒａｙ）」、「圧縮モード  ノーマル」、「画像種別  ムービー」、「露出  ０」、「フラッシュ  切」、「マクロ  切」等という設定情報がある。
【００４７】
また、他には、「顔検出  切」、「ホワイトバランス  蛍光灯」、「ＩＳＯ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ）感度  オート」、「ドライブ  単写」、「オートフォーカス  全体」、「操作音  切」等という設定情報もある。
【００４８】
図６は本発明の第１の実施の形態によるカメラ動作条件を示す図である。図６において、家族での室内で行う記念イベントでムービー撮影をしたい時に利用する「家族・室内ムービー」は、携帯端末１の内蔵するカメラ機能（外部入力デバイス１１）を利用する。
【００４９】
しかしながら、背景技術では、図８に示すように、入力デバイスの選択を「ツール」の中にある「カメラ」、「ＩＣレコーダ」、「ディジタルＴＶ」、「アナログＴＶ」、「赤外線受信」等の入力機能単位から、まず「カメラ」を選択し、次に入力機能の表示動作に必要となる最低限の分類として「フォトモード」及び「ムービーモード」の動作モードから「ムービー」を選択する。
【００５０】
すると、デフォルトで設定されているカメラ動作設定で、カメラ入力画像が表示されるので、その上で変更が必要となる条件に対して機能メニューを開くことで、条件項目毎に設定変更を繰り返すことになる。
【００５１】
しかしながら、本実施の形態では、図６に示すように、設定項目が１２あり、かつ各項目として数値を入れるもの、７条件から選択しなければならないものもあり、カメラ機能を用いた撮影のたびに大変な手続きが必要である。
【００５２】
図６において、設定項目「画質」には、設定範囲として「１０Ｍ」、「５Ｍ」、「３Ｍ」、「１Ｍ」、「ＶＧＡ」、「ＱＶＧＡ（Ｑｕａｒｔｅｒ  ＶＧＡ）」、「１６：９」があり、設定値Ｃでは「ＶＧＡ」、設定値Ｄでは「１０Ｍ」が設定される。
【００５３】
設定項目「圧縮モード」には、設定範囲として「非圧縮」、「ファイン」、「ノーマル」があり、設定値Ｃでは「ノーマル」、設定値Ｄでは「ファイン」が設定される。
【００５４】
設定項目「画像種別」には、「ムービー」、「静止画」があり、設定値Ｃでは「ムービー」、設定値Ｄでは「静止画」が設定される。設定項目「露出」には、「−２．０〜＋２．０」、「オート」があり、設定値Ｃでは「０」、設定値Ｄでは「オート」が設定される。
【００５５】
設定項目「フラッシュ」には、「切」、「赤目軽減」、「入」、「オート」があり、設定値Ｃでは「切」、設定値Ｄでは「赤目軽減」が設定される。設定項目「マクロ」には、「切」、「マクロ」、「スーパーマクロ」があり、設定値Ｃでは「切」、設定値Ｄでは「切」が設定される。設定項目「顔検出」には、「切」、「入」があり、設定値Ｃでは「切」、設定値Ｄでは「入」が設定される。
【００５６】
設定項目「ホワイトバランス」には、「晴天」、「曇天」、「電球」、「蛍光灯」があり、設定値Ｃでは「蛍光灯」、設定値Ｄでは「電球」が設定される。設定項目「ＩＳＯ感度」には、「８０」、「１００」、「２００」、「４００」、「８００」、「１６００」、「オート」があり、設定値Ｃでは「オート」、設定値Ｄでは「４００」が設定される。
【００５７】
設定項目「ドライブ」には、「単写」、「連写」、「高速連写」があり、設定値Ｃでは「単写」、設定値Ｄでは「連写」が設定される。設定項目「オートフォーカス」には、「顔検出」、「スポット」、「全体」があり、設定値Ｃでは「全体」、設定値Ｄでは「顔検出」が設定される。設定項目「操作音」には、「切」、「入」があり、設定値Ｃでは「切」、設定値Ｄでは「入」が設定される。
【００５８】
このように、本実施の形態では、入力機能（外部入力デバイス１１）を利用するシーン毎に設定条件を保管しているので、入力機能（外部入力デバイス１１）を簡便に動作することができる。
【００５９】
また、本実施の形態では、入力機能（外部入力デバイス１１）を利用するシーン毎に保管先フォルダを用意しているので、入力データの保管先を個別に設定しなくても、入力から保管までの動作を簡便にすることができる。
【００６０】
さらに、本実施の形態では、入力機能（外部入力デバイス１１）が動作しない状態で、入力機能（外部入力デバイス１１）の利用条件や入力データ保管先条件を設定しているので、その設定時に省電力化を図ることができる。
【００６１】
さらにまた、本実施の形態では、入力機能（外部入力デバイス１１）の利用条件をフォルダ単位にコピー可能なので、条件設定を簡便に行うことができる。
【００６２】
図７は本発明の第２の実施の形態によるボイスレコード機能の動作条件を示す図である。図７においては、本発明の第２の実施の形態としてボイスレコード機能に本発明を適用した場合、その基本的構成も上記と同様の構成となる。
【００６３】
本実施の形態では、入力する対象が音声情報であるので、その設定時に必要な携帯端末１の操作による雑音発生を最小限とすることができ、クリアな音声録音を行うことができる。また、本実施の形態では、タイマ録音や音声検出自動録音によって、胸ポケット等から取り出さずに利用することができる。
【００６４】
図７において、設定項目「録音モード１」には、設定範囲として「高音質（ＨＱ）」、「標準（ＦＱ）」、「長時間（ＳＰ）」があり、設定値Ａでは「ＳＰ」、設定値Ｂでは「ＨＱ」が設定される。設定項目「録音モード２」には、設定範囲として「ステレオ」、「モノラル」があり、設定値Ａでは「モノラル」、設定値Ｂでは「ステレオ」が設定される。
【００６５】
設定項目「表示内容」には、「録音時間」、「録音可能残時間」、「時計」があり、設定値Ａでは「録音時間」、設定値Ｂでは「録音可能残時間」が設定される。設定項目「データ保護」には、「切」、「入」があり、設定値Ａでは「入」、設定値Ｂでは「入」が設定される。
【００６６】
設定項目「セキュリティ設定」には、「切」、「入」があり、設定値Ａでは「入」、設定値Ｂでは「切」が設定される。設定項目「無音検出」には、「切」、「入（Ｖｏｉｃｅ  Ｏｐｅｒａｔｉｏｎ  Ｓｙｓｔｅｍ）」があり、設定値Ａでは「入」、設定値Ｂでは「切」が設定される。
【００６７】
設定項目「ズーム録音」には、「切」、「入」があり、設定値Ａでは「入」、設定値Ｂでは「切」が設定される。設定項目「操作音」には、「切」、「入」があり、設定値Ａでは「切」、設定値Ｂでは「切」が設定される。
【００６８】
尚、上述した本発明の各実施の形態では、設定情報が予め設定されているものとしているが、以下のように、設定情報の変更や更新を行うことも可能である。まず、入力デバイスの設定条件は、本発明を利用しないで設定されているものとする。この入力デバイスの設定条件で、入力デバイスの設定条件が保管されていないフォルダに保管するよう設定した場合は、そのままその設定条件で入力デバイスを作動させ、入力データを設定したフォルダ配下に保管する。その上で、その設定条件は、そのフォルダに保管する入力デバイスの設定条件として保管することが考えられる。
【００６９】
また、入力デバイスの設定条件は、本発明を利用しないで設定されているものとする。この入力デバイスの設定条件で、その入力デバイスとは異なる入力デバイスの設定条件が既に保管されている、またはこの設定条件が設定がされていないフォルダに保管するよう設定した場合には、
（１）既に保管されている設定条件にて、既にフォルダ配下に保管されている入力データがある場合等、そのままその設定条件で入力デバイスを作動させ、入力データは設定したフォルダとは異なる別フォルダ配下（入力データがないフォルダ、または新規作成フォルダである別のフォルダ配下）に保管した上で、以降、その設定条件を、その別フォルダに保管する入力デバイスの設定条件として保管する
（２）そのまま、その設定条件で入力デバイスを作動させ、入力データを設定したフォルダ配下に保管した上で、以降、その設定条件を、そのフォルダに保管する入力デバイスの設定条件として（上書き設定または設定履歴管理等により）保管する
（３）設定条件を既に保管されている設定条件に変えた上で、入力デバイスを作動させ、入力データを設定したフォルダ配下に保管する
（４）上記の［（２）＋（３）］を、同時、あるいは設定変更を伴って逐次、入力を行う（２設定で２入力データを保管する）
という保管方法も考えられる。
【産業上の利用可能性】
【００７０】
本発明は、人間のデータ入力のきっかけによって端末機能からデータ入力可能なカメラ、音声録音等の機能を備えた携帯電話機、ディジタルカメラ、ＩＣレコーダ、ＰＤＡ（Ｐｅｒｓｏｎａｌ  Ｄｉｇｉｔａｌ  Ａｓｓｉｓｔａｎｔ）等に適用可能である。
【図面の簡単な説明】
【００７１】
【図１】本発明による携帯端末の内部構成の概要を示すブロック図である。
【図２】本発明の第１の実施の形態による携帯端末の構成例を示すブロック図である。
【図３】本発明の第１の実施の形態による携帯端末の動作を示すフローチャートである。
【図４】本発明の第１の実施の形態による携帯端末の動作を示すフローチャートである。
【図５】本発明の第１の実施の形態による携帯端末の設定画面のイメージを示す図である。
【図６】本発明の第１の実施の形態によるカメラ動作条件を示す図である。
【図７】本発明の第２の実施の形態によるボイスレコード機能の動作条件を示す図である。
【図８】本発明に関連する携帯端末の設定画面のイメージを示す図である。
【符号の説明】
【００７２】
１  携帯端末
１１  外部入力デバイス
１２  記憶装置
１３  制御部
１４  メモリ
１４ａ  制御プログラム
１５  外部記憶デバイス
１６  表示デバイス
１２０  フォルダ情報
１２１−１〜１２１−ｎ  フォルダ
１２２−１〜１２２−ｎ  入力デバイス設定値情報
１２３−１〜１２３−ｎ  入力データ保管情報
【図１】
2010028252.tif 000003
【図２】
2010028252.tif 000004
【図３】
2010028252.tif 000005
【図４】
2010028252.tif 000006
【図５】
2010028252.tif 000007
【図６】
2010028252.tif 000008
【図７】
2010028252.tif 000009
【図８】
2010028252.tif 000010